(57)【特許請求の範囲】
【請求項１】
地下水源から揚水する電動ポンプと散水管とを含む消雪ポンプ設備に対して、地下水を前記散水管から散水するように前記電動ポンプを制御する消雪制御部を備えている消雪ポンプ設備の制御装置であって、
前記電動ポンプを自動制御して揚水量を変化させたときの水量と水位を計測する揚水試験を実行し、その計測値を記憶部に記憶する揚水試験制御部を備え、
前記揚水試験制御部は、前記消雪制御部により制御されている散水中に、消雪に必要な散水量に応じた所定の揚水量範囲で前記揚水試験を実行する消雪ポンプ設備の制御装置。
【請求項２】
前記揚水試験制御部は、降雪センサにより検知された降雪量に応じた揚水量範囲で前記揚水試験を実行する請求項１記載の消雪ポンプ設備の制御装置。
【請求項３】
前記揚水試験制御部は、所定期間内に段階揚水試験に必要となる複数の揚水量で揚水したときの各水量と水位を前記記憶部に記憶するように構成されている請求項１または２記載の消雪ポンプ設備の制御装置。
【請求項４】
前記記憶部に記憶された計測値を、通信部を介して遠隔監視装置に送信する通信制御部を備えている請求項１から３の何れかに記載の消雪ポンプ設備の制御装置。
【請求項５】
前記揚水試験制御部は、前記遠隔監視装置から送信される試験開始指令に基づいて前記揚水試験を実行する請求項４記載の消雪ポンプ設備の制御装置。
【請求項６】
請求項４または５記載の消雪ポンプ設備の制御装置から計測値が送信される遠隔監視装置であって、
所定地域に分散設置される各消雪ポンプ設備の制御装置に、時期を異ならせて前記揚水試験を実行するように試験開始指令を送信する揚水試験計画処理部と、各消雪ポンプ設備の制御装置から送信された計測値に基づいて、各地下水源の状態を評価する評価処理部を備えている遠隔監視装置。
【請求項７】
請求項４または５記載の消雪ポンプ設備の制御装置から計測値が送信される遠隔監視装置であって、
所定地域に分散設置される各消雪ポンプ設備の制御装置に、同時期に前記揚水試験を実行するように試験開始指令を送信する揚水試験計画処理部と、各消雪ポンプ設備の制御装置から送信された計測値に基づいて、各地下水源の状態を評価する評価処理部を備えている遠隔監視装置。
【請求項８】
各消雪ポンプ設備の制御装置から送信された計測値を、ネットワークを介して複数の端末から閲覧可能なサーバを備えている請求項６または７記載の遠隔監視装置。
【請求項９】
前記揚水試験計画処理部は、前記端末から前記サーバを介して設定された揚水計画情報に基づいて、各消雪ポンプ設備の制御装置に試験開始指令を送信する請求項８記載の遠隔監視装置。
【発明の詳細な説明】
【技術分野】
【０００１】
本発明は、消雪ポンプ設備の制御装置及び遠隔監視装置に関し、特に地下水源から揚水する電動ポンプと散水管とを含む消雪ポンプ設備に対して、地下水を前記散水管から散水するように前記電動ポンプを制御する消雪制御部を備えている消雪ポンプ設備の制御装置及び遠隔監視装置に関する。
【背景技術】
【０００２】
特許文献１には、消雪装置の運転を確実かつ経済的に行うことができる消雪装置駆動方法を提供することを目的として、降雪の有無を親装置で検出して得られた降雪情報に応じて、消雪領域に設置された複数の消雪装置に対応する複数の子装置で該消雪装置を駆動する消雪装置駆動方法が開示されている。
【０００３】
当該消雪装置駆動方法は、複数の消雪装置が設置された消雪領域を間にして設置された複数の親装置の少なくとも１つで降雪情報が得られた場合、各子装置で温度を検出し、検出した温度が所定の降雪温度より低いか否かを判定し、温度が降雪温度より低い場合、該温度を検出した子装置に対応する消雪装置を駆動することを特徴とする。
【０００４】
また、特許文献２には、消雪ポンプを運転する際に、より省エネルギーで、節水を重視した制御を行うことを目的とする消雪ポンプの運転・停止を制御する消雪ポンプ運転制御方法が提案されている。
【０００５】
当該消雪ポンプ運転制御方法は、単位時間あたりの雪片数をカウントし、検出降雪強度値を求める降雪強度判断工程と、検出降雪強度値に基づいて消雪ポンプの運転時間を所定の運転条件に基づいて制御する制御工程とを備え、運転条件は、検出降雪強度値が予め定められた第１降雪強度値よりも小さい場合を停止運転条件とし、検出降雪強度値が第１降雪強度値より大きく、第１降雪強度値よりも大きい第２降雪強度値よりも小さい場合に間欠運転条件とし、検出降雪強度値が第２降雪強度値よりも大きい場合は連続運転条件とすることを特徴とする。
【０００６】
また、特許文献３には、地下水源となる井戸の設計方法及び老朽化の定量評価方法が開示されている。従来のこの種の評価は、段階揚水試験から得られる水位降下量〜揚水量（Ｓ〜Ｑ曲線）を用いてローラボー等の方法で解析され、同図から曲線の勾配や井戸の限界揚水量とされる変曲点を求めることによって、施工の良否や老朽化の程度が定性的に求められていた。
【先行技術文献】
【特許文献】
【０００７】
【特許文献１】特開２００８−１５０８９８号公報
【特許文献２】特開２００９−１３８３４０号公報
【特許文献３】特開平０７−１１６７５号公報
【発明の開示】
【発明が解決しようとする課題】
【０００８】
上述したように、降雪情報に基づいて消雪ポンプ設備を自動運転する制御装置を備えることにより、消雪システムの経済性を向上させる試みがなされている。このような消雪ポンプ設備の地下水源となる各消雪用井戸に不都合が生じると、降雪シーズン中に保守することができないため、通常は降雪シーズンの前または後に揚水能力の評価試験が行なわれ、降雪シーズン前に不都合が解消されるようにメンテナンスが行なわれている。
【０００９】
具体的には、保安スタッフが各消雪ポンプ設備の制御盤を手動操作することにより、段階揚水試験を行ない、その際の揚水量、水位、水の濁りや揚砂量等に基づいて老朽化の程度の判断を行なっていた。そして、このような試験は、降雪シーズンであっても、必要に応じて行なわれる場合もあった。
【００１０】
このような点検作業は煩雑で非常に長い時間を要する作業で、短期間に各消雪用井戸を点検するためには多くの人手を要するため、作業の効率化の要請が高かった。
【００１１】
本発明の目的は、上述の問題に鑑み、多くの人手や煩雑な作業を要することなく、適切な時期に適切に試験が行なえ、容易にその評価を行なうことができる消雪ポンプ設備の制御装置及び遠隔監視装置を提供する点にある。
【課題を解決するための手段】
【００１２】
上述の目的を達成するため、本発明による消雪ポンプ設備の制御装置の第一の特徴構成は、特許請求の範囲の書類の請求項１に記載した通り、地下水源から揚水する電動ポンプと散水管とを含む消雪ポンプ設備に対して、地下水を前記散水管から散水するように前記電動ポンプを制御する消雪制御部を備えている消雪ポンプ設備の制御装置であって、前記電動ポンプを自動制御して揚水量を変化させたときの水量と水位を計測する揚水試験を実行し、その計測値を記憶部に記憶する揚水試験制御部を備え、前記揚水試験制御部は、前記消雪制御部により制御されている散水中に、消雪に必要な散水量に応じた所定の揚水量範囲で前記揚水試験を実行する点にある。
【００１３】
上述の構成によれば、揚水試験制御部によって所定時期に揚水試験が自動で行なわれ、その計測値が記憶部に記憶されるので、その記憶部に記憶された計測値を読み出すことにより、極めて容易に評価できるようになる。
【００１４】
揚水試験制御部によって実行される揚水試験は、所定時間毎に揚水量を切り替えて、そのときの飽和水位を計測する段階揚水試験が含まれる。消雪のための散水を行ないながら揚水試験を実行する場合に、消雪のための散水量よりも少ない量で揚水試験を行なうと、適切な消雪ができないという不都合が生じる。そこで、消雪制御部により制御されている散水量に応じた所定の揚水量範囲で揚水量を切り替えることにより、少なくとも消雪機能を損なわない範囲での揚水試験を経済的に行なうことができる。
【００１５】
同第二の特徴構成は、同請求項２に記載した通り、上述の第一の特徴構成に加えて、前記揚水試験制御部は、降雪センサにより検知された降雪量に応じた揚水量範囲で前記揚水試験を実行する点にある。
【００１６】
上述の構成によれば、消雪に必要な水量が供給できるように、降雪センサにより検知された降雪量に応じた揚水量範囲で揚水試験を実行することによって、上述と同様、少なくとも消雪機能を損なわない範囲での揚水試験を経済的に行なうことができる。
【００１７】
同第三の特徴構成は、同請求項３に記載した通り、上述の第一または第二の特徴構成に加えて、前記揚水試験制御部は、所定期間内に段階揚水試験に必要となる複数の揚水量で揚水し、そのときの各水量と水位を前記記憶部に記憶するように構成されている点にある。
【００１８】
段階揚水試験に必要となる揚水量範囲で、所定期間内に離散的に揚水量を異ならせて揚水したときの各水量と水位が記憶部に記憶されるので、消雪制御部の作動中であっても段階揚水試験が完結できる。
【００１９】
同第四の特徴構成は、同請求項４に記載した通り、上述の第一から第三の何れかの特徴構成に加えて、前記記憶部に記憶された計測値を、通信部を介して遠隔監視装置に送信する通信制御部を備えている点にある。
【００２０】
揚水試験制御部によって記憶部に記憶された計測値が、通信制御部によって遠隔監視装置に送信されるので、作業員は当該遠隔監視装置を介して各消雪ポンプ設備の計測値を認識でき、各消雪ポンプ設備の井戸の評価を極めて容易に行なえるようになる。
【００２１】
同第五の特徴構成は、同請求項５に記載した通り、上述の第四の特徴構成に加えて、前記揚水試験制御部は、前記遠隔監視装置から送信される試験開始指令に基づいて前記揚水試験を実行する点にある。
【００２２】
遠隔監視装置を介して各消雪ポンプ設備の揚水試験制御部に試験開始指令を送信すれば、各消雪ポンプ設備で揚水試験が実行されるようになり、揚水試験が必要なときに容易に揚水試験を実行することができ、計画的な揚水試験、突発的に必要となった揚水試験の何れもが極めて容易に実行できるようになる。
【００２３】
本発明による遠隔監視装置の特徴構成は、同請求項６に記載した通り、上述した第四または第五の特徴構成を備えた消雪ポンプ設備の制御装置から計測値が送信される遠隔監視装置であって、所定地域に分散設置される各消雪ポンプ設備の制御装置に、時期を異ならせて前記揚水試験を実行するように試験開始指令を送信する揚水試験計画処理部と、各消雪ポンプ設備の制御装置から送信された計測値に基づいて、各地下水源の状態を評価する評価処理部を備えている点にある。
【００２４】
揚水試験計画処理部によって所定地域に分散設置される各消雪ポンプ設備に対して、時期を異ならせて揚水試験を実行させることにより、評価処理部では他の消雪ポンプ設備の影響を受けることなく、当該消雪ポンプ設備の地下水源の状態を評価できるようになる。
【００２５】
同第二の特徴構成は、同請求項７に記載した通り、上述した第四または第五の特徴構成を備えた消雪ポンプ設備の制御装置から計測値が送信される遠隔監視装置であって、所定地域に分散設置される各消雪ポンプ設備の制御装置に、同時期に前記揚水試験を実行するように試験開始指令を送信する揚水試験計画処理部と、各消雪ポンプ設備の制御装置から送信された計測値に基づいて、各地下水源の状態を評価する評価処理部を備えている点にある。
【００２６】
揚水試験計画処理部によって所定地域に分散設置される各消雪ポンプ設備に対して、時期を同じくして揚水試験を実行させることにより、評価処理部では他の消雪ポンプ設備の影響を組み入れて、当該消雪ポンプ設備の地下水源の状態を評価できるようになる。つまり、共通の地下水を利用している地域での地下水の状況をも加味した消雪ポンプ設備の評価が行なえるようになる。
【００２７】
同第三の特徴構成は、同請求項８に記載した通り、上述した第一または第二の特徴構成に加えて、各消雪ポンプ設備の制御装置から送信された計測値を、ネットワークを介して複数の端末から閲覧可能なサーバを備えている点にある。
【００２８】
遠隔監視装置に集中管理された計測値をネットワークを介して接続された複数の端末で共有できるので、複数の管理者が情報を共有して適切な処理を行なえるようになる。
【００２９】
同第四の特徴構成は、同請求項９に記載した通り、上述した第三の特徴構成に加えて、前記揚水試験計画処理部は、前記端末から前記サーバを介して設定された揚水計画情報に基づいて、各消雪ポンプ設備の制御装置に試験開始指令を送信する点にある。
【００３０】
遠隔監視装置が設置された場所から離隔した地域にいる管理者であっても、端末を介して各消雪ポンプ設備の揚水試験を計画し、実行させることができるようになる。
【発明の効果】
【００３１】
以上説明した通り、本発明によれば、多くの人手や煩雑な作業を要することなく、適切な時期に適切に試験が行なえ、容易にその評価を行なうことができる消雪ポンプ設備の制御装置及び遠隔監視装置を提供することができるようになった。
【図面の簡単な説明】
【００３２】
【図１】消雪ポンプ設備の説明図
【図２】制御装置と遠隔監視装置の説明図
【図３】段階揚水試験の説明図
【図４】揚水試験の計測値の特性図
【図５】連続揚水試験の説明図
【図６】別実施形態を示す消雪ポンプ設備の説明図
【発明を実施するための形態】
【００３３】
以下に、本発明による消雪ポンプ設備の制御装置及び遠隔監視装置を説明する。
図１に示すように、消雪ポンプ設備１は、消雪用の地下水源となる井戸２、井戸２に設置された消雪用の電動ポンプ３、道路Ｒに敷設された２本の散水管５、散水管５に沿って所定間隔で配置された散水ノズル６、揚水された地下水を散水管５に送る送水管４、電動ポンプ３等を制御する制御装置Ｃが収容された制御盤７、降雪量を計測する降雪センサ８等を備えている。図中、符号９は揚水管、Ｑは流量計、Ｗは投込圧力式等の水位計、Ｔｈはサーミスタ等の温度計を示す。
【００３４】
降雪センサ８として、例えば、所定の開口面積の受雪部を備え、受雪部に堆積した雪をヒータで融かして水量を計測することにより、所定時間当りの降雪量を計測する形式や、所定の開口面積の受雪部を備え、受雪部に降雪した雪をヒータで融かして電極間の電気抵抗の変化を計測することで降雪量を計測する形式のセンサを採用することができる。
【００３５】
降雪シーズンに井戸２から電動ポンプ３で汲み上げられた１０℃前後の地下水が散水ノズル６を介して路面に散水され、融雪されて路面を流れる水が道路脇の側溝Ｄに排水される。
【００３６】
散水管５は、井戸２の設置位置から道路に沿って２方向にそれぞれ敷設され、送水管４の基端側に設置された三方弁Ｖ１によって何れに送水されるかが切り替えられる。
【００３７】
制御盤７には、電源装置Ｐ、制御装置Ｃ、無線通信装置Ｔが収容され、制御装置Ｃに降雪センサ８、流量計Ｑ、水位計Ｗ、温度計Ｔｈからの信号が入力され、電動ポンプ３の駆動回路Ｉへの制御信号が出力される。
【００３８】
駆動回路Ｉはインバータ回路であり、電動ポンプ３の回転数が駆動回路Ｉを介して任意の回転数に制御可能に構成されている。従って、電動ポンプ３による揚水量が任意に調整できる。
【００３９】
制御装置Ｃは、ＣＰＵとＲＯＭやＲＡＭ等の記憶部Ｍを備え、ＲＯＭに記憶されたプログラムを実行するＣＰＵにより、各種の制御機能が実現される。
【００４０】
尚、図６に示すように、インバータ回路に代えて流量調整弁Ｖ３を設けて、流量調整弁を制御することによって揚水量を任意に調整できる構成であってもよい。
【００４１】
図２に示すように、制御装置Ｃは、消雪制御部Ｃ１、揚水試験制御部Ｃ２、通信制御部Ｃ３の三つの機能ブロックを備えている。尚、記憶部Ｍは上述の半導体メモリに限るものではなく、それらに加えてハードディスク装置等のストレージデバイスを用いることも可能である。
【００４２】
消雪制御部Ｃ１は、温度計Ｔｈや降雪センサ８から入力される信号に基づいて、地下水を散水ノズル６から散水するように電動ポンプ３を自動制御し、その運転履歴を記憶部Ｍに記憶する。
【００４３】
揚水試験制御部Ｃ２は、所定時期に電動ポンプ３を自動制御して揚水量を変化させたときの水量と水位を計測する揚水試験を実行し、その計測値を記憶部Ｍに記憶する。
【００４４】
通信制御部Ｃ３は、通信装置Ｔを介して遠隔監視装置ＲＭと交信する。つまり、通信制御部Ｃ３は、記憶部Ｍに記憶された運転履歴や計測値等の試験情報等を当該消雪ポンプ設備１の識別情報と共に遠隔監視装置ＲＭに送信し、遠隔監視装置ＲＭからの制御指令を受信する。
【００４５】
通信装置Ｔは携帯電話に利用されるパケット式の無線通信モジュールで、本発明の通信部として機能する。尚、通信装置Ｔは無線方式に限らず有線方式でもよい。
【００４６】
遠隔監視装置ＲＭは、例えば汎用のパーソナルコンピュータで構成され、消雪ポンプ設備１の遠隔監視用のアプリケーションプログラムがインストールされている。
【００４７】
遠隔監視装置ＲＭには、通信制御部Ｃ３から送信された各消雪ポンプ設備１の運転履歴や計測値等の管理情報を、インターネットを介して複数の端末から閲覧可能なＷＥＢサーバ１０を備えている。尚、インターネット以外のネットワークを用いることも可能である。
【００４８】
管理者は、個々の端末ＴＭからＷＥＢサーバ１０にアクセスして、監視が必要な消雪ポンプ設備１の運転履歴や計測値等の管理情報を閲覧して、必要な作業を進める。例えば、降雪シーズンに電動ポンプ３、流量計Ｑ、水位計Ｗ、サーミスタＴｈ等に異常が発生し、消雪機能に支障が発生していると修理作業を準備し、降雪シーズン前に揚水に異常が発生していると井戸の修復作業を準備する等である。
【００４９】
消雪制御部Ｃ１を詳述する。消雪制御部Ｃ１は、降雪センサ８で検知される降雪量及び温度計Ｔｈで検知される温度に基づいて、流量計Ｑの値が予め設定された揚水量となるように駆動回路Ｉを制御して電動ポンプ３を駆動し、２本の散水管５の何れか一方の散水ノズル６から散水する。三方弁Ｖ１を所定時間間隔、具体的には数十分間隔で切り替えることにより、２本の散水管５に交互に地下水が供給される。揚水量は水温、降雪量以外に交通量を加味して設定されてもよい。後述のウェブサーバを介して端末または遠隔監視装置から揚水量が遠隔設定される構成であってもよい。
【００５０】
さらに、消雪制御部Ｃ１は、各センサの入力データ、電動ポンプ３の制御データ、電動ポンプ３の故障の有無等の運転情報を記憶部Ｍに定期的に記憶する。例えば、時刻情報、所定時間毎の電動ポンプ３の運転回数や累積運転時間、所定時間毎の揚水量、平均温度、平均降雪量等の運転情報である。
【００５１】
揚水試験制御部Ｃ２を詳述する。消雪用の井戸は、打ち込み式の浅井戸、機械堀り工法による深井戸があり、何れの場合にも必要な水量が安定して継続的に得られるように維持管理される必要がある。長年の使用によりスクリーンが目詰まりし、或いは地下水脈が変動して必要な水量が得られない場合には、井戸の再生処理、或いは再掘削が必要になる。
【００５２】
そこで、揚水試験制御部Ｃ２は、降雪シーズンの前後の所定時期、或いは降雪シーズン中の所定時期に、所定時間毎に揚水量を段階的に変化させるように電動ポンプ３を制御して、そのときの水量と水位を計測する段階揚水試験や、所定の揚水量で連続的に揚水して水位の変動を計測し、その後回復水位を計測する連続揚水試験、回復試験を実行する。
【００５３】
図３に示すように、段階揚水試験とは、水位計Ｗで計測した自然水位を始点に、電動ポンプ３を制御して低水量から高水量まで段階的に揚水量を変化させ、各段階での安定水位を計測する試験である。例えば数十分間隔から数時間間隔で揚水量を数百ｌ／ｍｉｎ．単位で上昇させたときの飽和水位を計測する。
【００５４】
図４には、両対数グラフにプロットした揚水量と水位低下の関係が示されている。揚水量が限界に達するまではグラフの傾きは一定で直線となり、限界を超えると傾きが大きくなる。グラフの傾きが変わる屈曲点が限界揚水量となり、その８０％の値が適正揚水量となる。尚、図３，４は説明の便宜のために示す図であり、両者に相関関係は無い。
【００５５】
適正揚水量が消雪に十分な値であるか否か、さらに、掘削初期の井戸の段階揚水試験の特性と今回の段階揚水試験の特性と比較し、屈曲点の推移の程度によって井戸の揚水能力が評価される。同時に水の濁度や揚砂の有無を把握するため、揚水を撮影する撮像素子を設置し、その画像データを記憶部Ｍに記憶してもよい。そして、揚水試験制御部Ｃ２は、適正揚水量が消雪に十分な所定の閾値に達しない場合に、警告情報を記憶部Ｍに格納する。
【００５６】
図５に示すように、連続揚水試験とは、２４時間または４８時間、適性揚水量で揚水を連続し、水位の変動状況等を計測する試験である。さらにその直後から水位の回復状況を計測する回復試験を実行し、このときの計測値から帯水層の透水量係数、透水係数、貯留係数を求め、その値を評価する。通常、連続揚水試験、回復試験は、降雪シーズンの前後に行なわれる。
【００５７】
これらの試験データは記憶部Ｍに記憶され、通信制御部Ｃ３によって遠隔監視装置ＲＭに送信される。
【００５８】
揚水試験制御部Ｃ２は、通常、揚水が散水管５に送水されないように、送水管４に備えた切替弁Ｖ２を切り替えて揚水が試験管４０に送水され、側溝Ｄ等へ排水されるように経路を切替制御した後に、上述の揚水試験を行なう。
【００５９】
しかし、本発明による揚水試験制御部Ｃ２は、消雪制御部Ｃ１による散水中に、送水経路を試験管に切り替えることなく散水管５に維持した状態で揚水試験を実行することで、消雪機能を損なうことなく揚水試験を実行するように構成されている。
【００６０】
例えば、消雪制御部Ｃ１による散水中に揚水試験を行なう場合、揚水試験制御部Ｃ２は、消雪制御部Ｃ１から散水中である旨の情報を得ることによって、消雪制御部Ｃ１の制御に割り込み、切替弁Ｖ２を切り替えることなく、図３に示した段階揚水試験の全プロセスを実行する。尚、この場合、揚水試験制御部Ｃ２が三方弁Ｖ１の切替制御を代替する。段階揚水試験が終了すると割込み制御を終了し、以後消雪制御部Ｃ１が再び消雪制御を継続する。
【００６１】
揚水試験制御部Ｃ２は、上述した消雪制御部Ｃ１による散水中に揚水試験を行なう場合、段階揚水試験の全プロセスを実行するのではなく、消雪制御部Ｃ１により制御されている散水量に応じた所定の揚水量範囲（適宜設定される値であり、特に限定されるものではない。）で段階揚水試験の一部を実行するように構成してもよい。
【００６２】
例えば、降雪量が多いときに、揚水量が少ない領域の試験を行なうと、消雪機能が妨げられる虞があるため、小水量領域での揚水試験を飛ばして大水量領域での揚水試験を行なうことができる。
【００６３】
このような場合には、所定期間内、例えば１週間以内に全域の段階揚水試験が離散的に行なわれるように制御し、それらを統合することにより、図４の特性グラフが得られる。
【００６４】
消雪制御部Ｃ１により制御されている散水量に応じた所定の揚水量範囲で段階揚水試験の一部を実行する代わりに、揚水試験制御部Ｃ２は、降雪センサ８により検知された降雪量に応じた揚水量範囲で段階揚水試験の一部を実行してもよい。
【００６５】
揚水試験制御部Ｃ２により実行される段階揚水試験や連続揚水試験の開始時期は予め記憶部Ｍにスケジューリングされている。記憶部Ｍとの間でデータを入出力可能なハンディターミナル用のインターフェースを備えている場合には、ハンディターミナルを介してスケジュール情報を設定することができる。尚、当該ハンディターミナルを介して運転情報や試験情報を読み出すことも可能である。
【００６６】
遠隔監視装置ＲＭから送信されるスケジュール情報を受信した通信制御部Ｃ３が、当該スケジュール情報を記憶部Ｍに格納し、揚水試験制御部Ｃ２が当該スケジュール情報を記憶部Ｍから読み出して段階揚水試験や連続揚水試験を開始することも可能である。つまり、スケジュール情報が揚水試験を実行する試験開始指令となる。
【００６７】
このようにして、揚水試験制御部Ｃ２により揚水試験が自動的に実行されるように構成されているため、管理者が各消雪ポンプ設備１の設置箇所に赴いて手動で揚水試験を行なう煩雑な作業から開放されるようになる。
【００６８】
次に、このような消雪ポンプ設備１の制御装置Ｃから運転履歴や計測値等の試験情報が送信される遠隔監視装置ＲＭを詳述する。
【００６９】
遠隔監視装置ＲＭは、通信装置Ｔを介して所定地域に分散設置される各消雪ポンプ設備１の制御装置Ｃと定期的に交信し、運転履歴や計測値等の試験情報を受信するとともに、消雪制御部Ｃ１で参照される散水量テーブルや、揚水試験制御部Ｃ２で参照される揚水試験スケジュールを送信する。尚、散水量テーブルとは、例えば、温度、降雪量に応じた散水量が設定されたテーブルである。
【００７０】
遠隔監視装置ＲＭはウェブサーバ１０に接続され、インターネットを介して各管理者の端末から遠隔監視装置ＲＭで管理される運転履歴や計測値等の試験情報を閲覧でき、また、各管理者の端末からウェブサーバ１０及び遠隔監視装置ＲＭを介して消雪ポンプ設備１の揚水試験のスケジュールを設定できるように構成されている。
【００７１】
そのような揚水試験のスケジュール設定等を行なう遠隔監視装置ＲＭを詳述する。遠隔監視装置ＲＭは、各消雪ポンプ設備１に対して試験スケジュールを設定する揚水試験計画処理部Ｒ１と、各消雪ポンプ設備１の制御装置Ｃから送信された計測値に基づいて、各地下水源の状態を評価する評価処理部Ｒ２を備えている。
【００７２】
評価処理部Ｒ２では、段階揚水試験の計測値に基づいて、消雪ポンプ設備１毎に、図４で説明した揚水量と水位低下の特性グラフを生成し、連続揚水試験の計測値に基づいて、消雪ポンプ設備１毎に、帯水層の透水量係数、透水係数、貯留係数を算出し、揚水能力が許容される範囲であるかの評価が行なわれる。
【００７３】
例えば、揚水試験計画処理部Ｒ１は、所定地域に分散設置される各消雪ポンプ設備１の制御装置Ｃに、時期を異ならせて揚水試験を実行するように試験開始時間を含む試験開始指令を送信するか、同時期に揚水試験を実行するように試験開始時間を含む試験開始指令を送信するかの何れかの指令を送信する。
【００７４】
つまり、揚水試験計画処理部Ｒ１は、端末ＴＭからサウェブサーバ１０を介して設定された揚水計画情報に基づいて、各消雪ポンプ設備の制御装置に試験開始指令を送信する。
【００７５】
前者の場合、評価処理部Ｒ２では他の消雪ポンプ設備の影響を受けることなく、当該消雪ポンプ設備の地下水源の状態を評価できるようになり、後者の場合、他の消雪ポンプ設備の影響を組み入れて、当該消雪ポンプ設備の地下水源の状態を評価できるようになる。
【００７６】
以上説明した消雪ポンプ設備の制御装置及び遠隔監視装置の具体的構成は実施形態の記載に限定されるものではなく、本発明による作用効果を奏する範囲において適宜変更設計可能であることはいうまでもない。
【符号の説明】
【００７７】
１：消雪ポンプ設備
２：地下水源（井戸）
３：電動ポンプ
４：送水管
５：散水管
６：散水ノズル
１０：ウェブサーバ
Ｃ：制御装置
Ｃ１：消雪制御部
Ｃ２：揚水試験制御部
Ｃ３：通信制御部
ＲＭ：遠隔監視装置
Ｒ１：揚水試験計画処理部
Ｒ２：評価処理部
【図１】
0005909128.tif 000002
【図２】
0005909128.tif 000003
【図３】
0005909128.tif 000004
【図４】
0005909128.tif 000005
【図５】
0005909128.tif 000006
【図６】
0005909128.tif 000007